(57)【要約】【課題】  外光反射を有効に利用する領域と有機ＥＬの自発光表示機能を優先する領域とを併設して、状況に応じてこれらの各領域を同時に機能させる。【解決手段】  二枚の透明絶縁基板としての主基板であるガラス基板ＳＵＢ１と封止缶であるＳＵＢ２を貼り合わせて構成した有機ＥＬパネルＰＮＬのガラス基板板ＳＵＢ１の外面の一部に円偏光板ＰＯＬを粘着剤で貼り付けて、高品位表示領域Ｒ１とし、円偏光板ＰＯＬの存在しない領域を鏡機能付加表示領域Ｒ２とする。高品位表示領域Ｒ１は円偏光板ＰＯＬにより外光反射が防止され、有機ＥＬとしての表示画像のコントラストが向上し高品質表示が可能となる。一方、鏡機能付加表示領域Ｒ２は円偏光板が除去された状態で、かつ外光反射率を向上させる素子構造となっており、その領域全体が鏡（反射鏡）として機能する。【選択図】    図１
2006011043.tif 000002
【特許請求の範囲】
【請求項１】
透明絶縁基板の主面に画素対応でマトリクス配置した多数の薄膜トランジスタおよびこの薄膜トランジスタに駆動信号を与えるための配線を有する配線／薄膜トランジスタ部と、
前記配線／薄膜トランジスタ部に隣接して、前記薄膜トランジスタの各出力電極に接続した透明材料からなる一方の電極が形成されて、該一方の電極の各々の上に画素対応で積層した複数の有機発光層とを形成した画素部とを有し、
前記配線／薄膜トランジスタ部と前記画素部を含む領域を複数画素にわたって共通に覆う他方の電極が配置され、
前記他方の電極を含む前記透明絶縁基板の主面側を封止板で気密に封止されており、
前記透明絶縁基板の一部に円偏光板が貼付されて高品位表示領域が形成され、かつ、前記他方の電極の前記有機発光層側は鏡面で、前記高品位表示領域を除く部分が鏡機能付加表示領域であることを特徴とする表示装置。
【請求項２】
前記画素部は隣接する配線部に有する低反射性のバンクで囲まれており、前記バンクの内側に前記有機発光層が形成されていることを特徴とする請求項１に記載の表示装置。
【請求項３】
前記画素部は隣接する配線部に有する低反射性のバンクで囲まれており、前記バンクの内側に前記有機発光層が形成され、少なくとも前記鏡機能付加表示領域の前記透明絶縁基板の主面側の前記配線／薄膜トランジスタ部に反射率向上層を有することを特徴とする請求項１に記載の表示装置。
【請求項４】
前記画素部は隣接する配線部に有する低反射性のバンクで囲まれており、前記バンクの内側に前記有機発光層が形成され、少なくとも前記鏡機能付加表示領域の前記透明絶縁基板の主面側にハーフミラー層を有することを特徴とする請求項１に記載の表示装置。
【請求項５】
前記高品位表示領域の面積は、前記鏡機能付加表示領域の面積より狭いことを特徴とする請求項１乃至４の何れかに記載の表示装置。
【請求項６】
透明絶縁基板の主面に画素対応でマトリクス配置した多数の薄膜トランジスタおよびこの薄膜トランジスタに駆動信号を与えるための配線を有する配線／薄膜トランジスタ部と、
前記配線／薄膜トランジスタ部に隣接して、前記薄膜トランジスタの各出力電極に接続した透明材料からなる一方の電極が形成されて、該一方の電極の各々の上に画素対応で積層した複数の有機発光層とを形成した画素部とを有し、
前記配線／薄膜トランジスタ部と前記画素部を含む領域を複数画素にわたって共通に覆う他方の電極が配置され、
前記他方の電極を含む前記透明絶縁基板の主面側を封止板で気密に封止されており、
前記透明絶縁基板の一部に円偏光板が貼付されて高品位表示領域が形成され、かつ、前記他方の電極の前記有機発光層側は鏡面で、前記高品位表示領域を除く部分が鏡機能付加表示領域であり、
前記画素部は隣接する配線部に有する低反射性のバンクで囲まれており、前記バンクの内側に前記有機発光層が形成され、
前記高品位表示領域では、前記円偏光板から入射して前記他方の電極で反射する外光が該円偏光板で外部への出射が制限され、前記有機発光層の発光光が主として該円偏光板から外部に出射することを特徴とする表示装置。
【請求項７】
前記画素部は隣接する配線部に有する低反射性のバンクで囲まれており、前記バンクの内側に前記有機発光層が形成され、少なくとも前記鏡機能付加表示領域の前記透明絶縁基板の主面側の前記配線／薄膜トランジスタ部に反射率向上層を有し、
前記透明絶縁基板から入射する外光が、前記他方の電極と前記反射率向上層とで反射して該透明絶縁基板から外部に出射することを特徴とする請求項６に記載の表示装置。
【請求項８】
前記画素部は隣接する配線部に有する低反射性のバンクで囲まれており、前記バンクの内側に前記有機発光層が形成され、少なくとも前記鏡機能付加表示領域の前記透明絶縁基板の主面側にハーフミラー層を有し、
前記透明絶縁基板から入射する外光が、前記他方の電極と前記ハーフミラー層とで反射して該透明絶縁基板から外部に出射することを特徴とする請求項６に記載の表示装置。
【請求項９】
前記高品位表示領域は自発光による高コントラストの情報表示を行う領域であり、前記鏡機能付加表示領域は自発光による情報表示が可能な反射鏡としての機能を提供する領域であることを特徴とする請求項１乃至８の何れかに記載の表示装置。
【請求項１０】
前記円偏光板は弱粘着性粘着剤で貼付されていることを特徴とする請求項１乃至９の何れかに記載の表示装置。
【請求項１１】
透明絶縁基板の主面に画素対応でマトリクス配置した多数の薄膜トランジスタおよびこの薄膜トランジスタに駆動信号を与えるための配線を有する配線／薄膜トランジスタ部と、
前記配線／薄膜トランジスタ部に隣接して、前記薄膜トランジスタの各出力電極に接続した透明材料からなる一方の電極が形成されて、該一方の電極の各々の上に画素対応で積層した複数の有機発光層とを形成した画素部とを有し、
前記配線／薄膜トランジスタ部と前記画素部を含む領域を複数画素にわたって共通に覆う他方の電極が配置され、
前記他方の電極を含む前記透明絶縁基板の主面側を封止板で気密に封止されており、
前記透明絶縁基板の一部に円偏光板が貼付されて高品位表示領域が形成され、かつ、前記他方の電極の前記有機発光層側は鏡面で、前記高品位表示領域を除く部分が鏡機能付加表示領域であり、
前記画素部は隣接する配線部に有する低反射性のバンクで囲まれて、前記バンクの内側に前記有機発光層が形成され、
前記高品位表示領域では、前記円偏光板から入射して前記他方の電極で反射する外光が該円偏光板で外部への出射が制限され、前記有機発光層の発光光が主として該円偏光板から外部に出射する如く構成されており、
前記配線は前記薄膜トランジスタを選択するための走査信号線、選択された薄膜トランジスタに画像データを供給するためのデータ信号線、選択された薄膜トランジスタで駆動される画素に発光用の電流を供給するための電流供給線を少なくとも含み、
前記走査信号線に走査信号を供給する走査信号駆動回路と、前記データ信号線に表示データを供給するデータ信号駆動回路と、前記電流供給線に電流を供給する発光電源回路とを備え、
前記発光電源回路と前記データ信号駆動回路の何れか一方により前記高品位表示領域と前記鏡機能付加表示領域との輝度を制御することを特徴とする表示装置の駆動方法。
【請求項１２】
前記発光電源回路を、前記高品位表示領域と前記鏡機能付加表示領域とのそれぞれに対応して別個に設けたことを特徴とする請求項１１に記載の表示装置の駆動方法。
【請求項１３】
前記データ信号駆動回路が、前記高品位表示領域と前記鏡機能付加表示領域とに共通に設けたことを特徴とする請求項１２に記載の表示装置の駆動方法。
【請求項１４】
前記データ信号駆動回路が、前記高品位表示領域と前記鏡機能付加表示領域とに独立に設けたことを特徴とする請求項１２に記載の表示装置の駆動方法。
【請求項１５】
前記データ信号駆動回路を、前記高品位表示領域と前記鏡機能付加表示領域とのそれぞれに対応して別個に設けたことを特徴とする請求項１１に記載の表示装置の駆動方法。
【請求項１６】
前記発光電源回路と前記データ信号駆動回路の何れか一方により前記高品位表示領域と前記鏡機能付加表示領域との輝度を略同一に制御することを特徴とする請求項１５に記載の表示装置の駆動方法。
【請求項１７】
前記高品位表示領域と前記鏡機能付加表示領域との両方を用いて一つの情報を表示することを特徴とする請求項１６に記載の表示装置の駆動方法。
【請求項１８】
前記高品位表示領域と前記鏡機能付加表示領域との両方を用いて一つ鏡とすることを特徴とする請求項１６に記載の表示装置の駆動方法。
【発明の詳細な説明】
【技術分野】
【０００１】
本発明は、フラットパネル型の表示装置に係り、特にその表示パネルに通常の画像表示を行う領域とミラー機能をも備えた領域とを併設した、所謂ツー・イン・ワン（２ｉｎ１）型の表示装置に関する。
【背景技術】
【０００２】
自発光機能を持つフラットパネル型の表示装置の一つに有機エレクトロルミネッセンス（以下、有機ＥＬと略称する）が知られている。有機ＥＬ表示装置は、有機エレクトロルミネッセンスダイオード素子（以下、有機ＥＬ素子、あるいはＯＬＥＤ素子とも称する）で構成される多数の画素を基板上の表示領域にマトリクス状に配置したものである。基板上で表示領域の外側には、表示領域に配置された各画素を選択する走査線駆動回路と、選択された画素に映像信号（画像信号とも称し、文字、数字、記号なども含む。以下同じ）を供給する信号線駆動回路、およびその他の表示に必要とする各種回路が配置される。
【０００３】
ＯＬＥＤ素子には様々な表示方式があるが、ガラス等の透明な絶縁基板の主面（内面）に透明な一方の電極、有機発光層、他方の電極をこの順で積層し、他方の電極上をガラス等の封止板で気密に封止した構造が一般的である。このようなＯＬＥＤ素子を前記したように多数マトリクス配置して有機ＥＬ表示装置が構成される。上記の一方の電極には、通常はＩＴＯを用いた陽極とし、他方の電極としてはアルミ二ウムを好適とする反射率の高い金属を用いて陰極とする。有機発光層から生成した表示光は陽極を通ってガラス等の透明な絶縁基板から外部に出射する直接光と、有機発光層から生成し、陰極で反射して有機発光層、陽極、ガラス等の透明な絶縁基板から外部に出射する反射光とが表示光となる。
【０００４】
このような有機ＥＬ表示装置においては、陰極に反射率の高い金属を用いているため、透明な絶縁基板の外から入射する光（外光）が陰極で反射し、上記の表示光と混じることによる表示画像の視認性の低下（コントラストの低下）を招く。このため、通常は表示面を構成するガラス等の透明な絶縁基板の外面に円偏光板を貼り付けて、外光の反射を防止している。このような偏光板の取り付けの結果、表示される画像が奥行きに乏しい平坦なものになりやすい。
【０００５】
特許文献１は、表示面を構成するガラス等の透明な絶縁基板の外面あるいは内面にハーフミラーを設けたものを開示する。また、有機ＥＬパネルに反射ミラーあるいはハーフミラーを設けた車両用ミラーを特許文献２が開示する。
【特許文献１】特願２００２−２０８４７４号公報
【特許文献２】特願２００３−１７５７６９号公報
【発明の開示】
【発明が解決しようとする課題】
【０００６】
上記した特許文献１に開示される発明は、有機ＥＬパネルの基板を反射ミラーまたはハーフミラーの基板に共用することで、後方視界と表示情報との視差を低減するものであるが有機ＥＬパネルの全表示領域に反射ミラーを形成するものであり、有機ＥＬの表示画像に後部の様子をミックスして観察者（運転手）に提供するものであるため、情報の識別性に難がある。
【０００７】
本発明の目的は、外光反射を有効に利用する領域と有機ＥＬの自発光表示機能を優先する領域とを併設して、状況に応じてこれらの各領域を同時に機能させ、あるいは個別に機能させ、若しくは使用目的に応じて何れか一方の機能を優先した表示装置に特化することを可能とした表示装置およびその駆動方法を提供することにある。
【課題を解決するための手段】
【０００８】
本発明の表示装置は、透明絶縁基板の主面に画素対応でマトリクス配置した多数の薄膜トランジスタおよびこの薄膜トランジスタに駆動信号を与えるための配線を有する配線／薄膜トランジスタ部と、前記配線／薄膜トランジスタ部に隣接して、前記薄膜トランジスタの各出力電極に接続した透明材料からなる一方の電極が形成されて、該一方の電極の各々の上に画素対応で積層した複数の有機発光層とを形成した画素部とを有する。
【０００９】
そして、前記配線／薄膜トランジスタ部と前記画素部を含む領域の前面あるいは複数画素にわたって共通に覆う他方の電極が配置され、前記他方の電極を含む前記透明絶縁基板の主面側を封止板で気密に封止されており、前記透明絶縁基板の一部に円偏光板が貼付されて高品位表示領域が形成され、かつ、前記他方の電極の前記有機発光層側は鏡面で、前記高品位表示領域を除く部分が鏡機能付加表示領域である構成とされる。
【００１０】
前記画素部は隣接する配線部に有する低反射性のバンクで囲まれており、前記バンクの内側に前記有機発光層が形成されており、少なくとも前記鏡機能付加表示領域の前記透明絶縁基板の主面側の前記配線／薄膜トランジスタ部に反射率向上層を設けるか、あるいは該主面側にハーフミラー層を設ける。
【００１１】
前記高品位表示領域では、前記円偏光板から入射して前記他方の電極で反射する外光が該円偏光板で外部への出射が制限され、前記有機発光層の発光光が主として該円偏光板から外部に出射する。
【００１２】
また、少なくとも前記鏡機能付加表示領域の前記透明絶縁基板の主面側にハーフミラー層を有し、前記透明絶縁基板から入射する外光が、前記他方の電極と前記ハーフミラー層とで反射して該透明絶縁基板から外部に出射する。
【００１３】
前記高品位表示領域は自発光による高コントラストの情報表示を行う領域であり、前記鏡機能付加表示領域は自発光による情報表示が可能な反射鏡としての機能を提供する領域である。
【００１４】
前記配線／薄膜トランジスタ部の配線は、前記薄膜トランジスタを選択するための走査信号線、選択された薄膜トランジスタに画像データを供給するためのデータ信号線、選択された薄膜トランジスタで駆動される画素に発光用の電流を供給するための電流供給線を少なくとも含む。そして、前記走査信号線に走査信号を供給する走査信号駆動回路と、前記データ信号線に表示データを供給するデータ信号駆動回路と、前記電流供給線に電流を供給する発光電源回路とを備え、前記発光電源回路と前記データ信号駆動回路の何れか一方により前記高品位表示領域と前記鏡機能付加表示領域との輝度を制御する。
【００１５】
前記発光電源回路を前記高品位表示領域と前記鏡機能付加表示領域とのそれぞれに対応して別個に設け、あるいは前記データ信号駆動回路を前記高品位表示領域と前記鏡機能付加表示領域とに共通に設けることができる。
【００１６】
また、前記データ信号駆動回路を前記高品位表示領域と前記鏡機能付加表示領域とに独立に設けることができ、あるいは前記データ信号駆動回路を前記高品位表示領域と前記鏡機能付加表示領域とのそれぞれに対応して別個に設けることができる。
【００１７】
前記高品位表示領域と前記鏡機能付加表示領域との両方を用いて一つの情報を表示する際などに、前記発光電源回路と前記データ信号駆動回路の何れか一方により前記高品位表示領域と前記鏡機能付加表示領域との輝度を略同一に制御することができる。また、前記高品位表示領域と前記鏡機能付加表示領域との両方を用いて一つ鏡とすることができる。
【００１８】
なお、本発明は、上記の構成および後述する実施の形態に開示される構成に限定されるものではなく、本発明の技術思想を逸脱することなく、種々の変更が可能である。
【発明の効果】
【００１９】
画素部に加えて配線／薄膜トランジスタ部にも反射性を付与することで、全体として高い反射性を持つ鏡機能を付加した有機ＥＬパネルが得られる。そして、高い品質の表示を必要とする高品位表示領域には円偏光板を貼付して高コントラスト表示を実現し、鏡としての機能を優先する鏡機能付加表示領域には円偏光板を貼付しないことで高反射性をもつ有機ＥＬパネルが得られる。なお、高品位表示領域または鏡機能付加表示領域が有機ＥＬパネルの全領域とすることもできる。
【００２０】
パネルの一部に円偏光板を貼り付けた本発明の表示装置を車両のバックミラーに用いることで、該円偏光板を貼り付けた高品位表示領域に車両運転／運行のための重要情報を表示し、円偏光板を貼り付けない鏡機能付加表示領域は後部画像の反射表示を主とするバックミラーとして機能させる多機能のバックミラーを提供できる。なお、この鏡機能付加表示領域に適宜の情報を表示させることもできる。
【発明を実施するための最良の形態】
【００２１】
以下、本発明の実施の形態について、実施例により詳細に説明する。
【実施例１】
【００２２】
図１は、本発明による表示装置の実施例１を示す有機ＥＬパネルの説明図で、図１の（ａ）は正面図、図１の（ｂ）は側面図である。符号ＰＮＬは有機ＥＬパネルを示し、符号ＰＯＬは有機ＥＬパネルＰＮＬの一部に貼付した円偏光板を示す。有機ＥＬパネルＰＮＬは、詳細は後述するように、二枚の透明絶縁基板としてのガラス基板ＳＵＢ１とＳＵＢ２を貼り合わせて構成されている。ガラス基板ＳＵＢ１は主基板であり、ガラス基板ＳＵＢ２は封止缶である。ガラス基板板ＳＵＢ１の外面の一部には円偏光板ＰＯＬが粘着剤で貼り付けられている。円偏光板ＰＯＬを貼り付けた領域は高品位表示領域Ｒ１となり、円偏光板ＰＯＬの存在しない領域は鏡機能付加表示領域Ｒ２となる。
【００２３】
円偏光板ＰＯＬを貼り付ける粘着剤を弱粘着性粘着剤とすることで、円偏光板ＰＯＬを剥ぎ取って有機ＥＬパネルＰＮＬの全面を鏡機能付加表示領域とすることができる。また、円偏光板ＰＯＬを再貼付することで図１に示したような高品位表示領域Ｒ１と鏡機能付加表示領域Ｒ２を持つ表示装置に戻すことができる。
【００２４】
高品位表示領域Ｒ１は円偏光板ＰＯＬにより外光反射が防止され、有機ＥＬとしての表示画像のコントラストが向上し高品質表示が可能となる。そのため、この表示装置を自動車のバックミラーなどに用いた場合には、この高品位表示領域Ｒ１は重要情報の表示に好適となる。したがって、この場合、高品位表示領域Ｒ１は鏡としての機能は小さくなる。
【００２５】
一方、鏡機能付加表示領域Ｒ２は円偏光板が除去された状態で、かつ外光反射率を向上させる素子構造となっていることから、その領域全体が鏡（反射鏡）として機能する。なお、この鏡機能付加表示領域Ｒ２は有機ＥＬとしての自発光型の情報表示も可能であるが、その表示品質は高品位表示領域Ｒ１のそれより劣る。
【００２６】
図２は、図１における高品位表示領域の１画素付近の構造例を説明する模式断面図である。有機ＥＬパネルは透明ガラス基板（以下、単にガラス基板）ＳＵＢ１の主面（すなわち、内面）に形成された配線や薄膜トランジスタなどの駆動構造ＷＴ、および絶縁層ＩＮＳが成膜されている。その上に有機ＥＬ素子の一方の電極（ここでは、陽極）ＡＮＤが画素ごとに形成されている。図示はしないが、陽極ＡＮＤは駆動構造ＷＴを構成する薄膜トランジスタの駆動出力に接続されている。そして、駆動構造ＷＴが形成された配線／薄膜トランジスタ部ＷＴＲには隣接する画素間を区画するバンクＢＡＮが形成されている。バンクＢＡＮは、光反射率が小さい樹脂で形成される。バンクＢＡＮの間は画素部ＰＸＲである。
【００２７】
そして、一対のバンクＢＡＮの間に形成される凹部に有機発光層ＯＬＥが真空蒸着やインクジェットなどの塗布手段で設けられる。有機発光層ＯＬＥは、ホール注入層／ホール移送層／発光層／電子移送層／電子注入層などを積層した多層構造からなる。この有機発光層ＯＬＥを覆って他方の電極（ここでは、陰極）ＣＴＤが成膜されている。陰極ＣＴＤは高品位表示領域にある全画素または複数画素を共通に覆って形成される。最も一般的には、該全画素を共通に覆って形成される。なお、この場合、後述する鏡機能付加表示領域の画素を含めて共通に形成することもできる。
【００２８】
ガラス基板ＳＵＢ１の外面（主面と反対の面）には、粘着剤ＡＤＨを介して円偏光板ＰＯＬが貼付されている。粘着剤ＡＤＨは弱粘着性のものを用いるのが好適である。これにより、円偏光板ＰＯＬを引き剥がしてパネル全面を鏡機能付加表示領域としたり、円偏光板ＰＯＬを再度貼り付けて高品位表示領域を再形成することが容易になる。
【００２９】
なお、陰極ＣＴＤを成膜したガラス基板ＳＵＢ１の主面は、封止缶とも称する他のガラス基板ＳＵＢ２で気密に封止される。このガラス基板ＳＵＢ２の内面の適当な場所には乾燥剤（吸湿剤）ＤＳＣが配置されており、二枚のガラス板で囲まれる空間を乾燥状態に保持している。
【００３０】
このように構成した高品位表示領域では、円偏光板ＰＯＬとガラス基板ＳＵＢ１を通して配線／薄膜トランジスタ部ＷＴＲに入射する外光Ｌ１は絶縁層ＩＮＳやバンクＢＡＮ当の構造層で反射されることなく減衰し、また円偏光板ＰＯＬとガラス基板ＳＵＢ１を通して画素部ＰＸＲに入射する外光Ｌ２が陰極ＣＴＤで反射しても円偏光板ＰＯＬを再度通過することなく減衰される。画素部ＰＸＲの発光層ＯＬＥから出射する自発光光ＬＳは円偏光板ＰＯＬを通過して外部に出射する。
【００３１】
図３は、図１における鏡機能付加表示領域の１画素付近の構造を説明する模式断面図である。鏡機能付加表示領域Ｒ２の１画素の構造は、ガラス基板ＳＵＢ１の外面に円偏光板を有しない。そして、他の構造においては、配線／薄膜トランジスタ部ＷＴＲのガラス基板ＳＵＢ１の主面に反射率向上層ＲＩＭを有している点を除いて図２で説明した断面構造と同じである。反射率向上層ＲＩＭは光反射性が良好な金属材料または非金属材料で形成されるが、ここではアルミニウム膜が使用される。
【００３２】
図３の構造とした鏡機能付加表示領域において、ガラス基板ＳＵＢ１を通して配線／薄膜トランジスタ部ＷＴＲに入射する外光Ｌ１は反射率向上層ＲＩＭで反射してガラス基板ＳＵＢ１を通して外部に出射する。また、ガラス基板ＳＵＢ１を通して画素部ＰＸＲに入射する外光Ｌ２は陰極ＣＴＤで反射してガラス基板ＳＵＢ１を通して外部に出射する。そして、画素部ＰＸＲの発光層ＯＬＥから出射する自発光光ＬＳはガラス基板ＳＵＢ１を通して外部に出射する。
【００３３】
図１の高品位表示領域Ｒ１に図２に示した構造を採用し、鏡機能付加表示領域Ｒ２に図３に示した構造を採用した有機ＥＬパネルを用いて表示装置を構成することで、高い品質の表示を必要とする高品位表示領域には円偏光板を貼付して高コントラスト表示を実現し、鏡としての機能を優先する鏡機能付加表示領域には円偏光板を貼付しないことで高反射性をもつ有機ＥＬパネルが得られる。
【実施例２】
【００３４】
図４は、本発明による表示装置の実施例２を説明する図１における鏡機能付加表示領域の１画素付近の構造を説明する模式断面図である。実施例２の高品位表示領域Ｒ１の構造は図２と同じである。実施例２の鏡機能付加表示領域Ｒ２は、図３に示したような配線／薄膜トランジスタ部ＷＴＲに形成する反射率向上層ＲＩＭに代えて、配線／薄膜トランジスタ部ＷＴＲと画素部ＰＸＲを含むガラス基板ＳＵＢ１の主面の全域にハーフミラー層ＨＭＲを設けたものである。このハーフミラー層ＨＭＲはクロム（Ｃｒ）薄膜のコーティングや誘電体多層膜のコーティングが好適であり、ここではクロム（Ｃｒ）薄膜を用いた。その他の構造は図３と同様である。
【００３５】
図４の構造とした鏡機能付加表示領域において、ガラス基板ＳＵＢ１を通して配線／薄膜トランジスタ部ＷＴＲに入射する外光Ｌ１はハーフミラー層ＨＭＲでほぼ反射し、再度ガラス基板ＳＵＢ１を通して外部に出射する。また、ガラス基板ＳＵＢ１を通して画素部ＰＸＲに入射しハーフミラー層ＨＭＲを透過した外光Ｌ２は陰極ＣＴＤで反射し、ハーフミラー層ＨＭＲとガラス基板ＳＵＢ１を通して外部に出射する。さらに、ガラス基板ＳＵＢ１を通して画素部ＰＸＲに入射し、ハーフミラー層ＨＭＲで反射した外光Ｌ３はガラス基板ＳＵＢ１を通して外部に出射する。そして、画素部ＰＸＲの発光層ＯＬＥから出射する自発光光ＬＳはガラス基板ＳＵＢ１を通して外部に出射する。
【００３６】
図１の高品位表示領域Ｒ１に図２に示した構造を採用し、鏡機能付加表示領域Ｒ２に図４に示した構造を採用した有機ＥＬパネルを用いて表示装置を構成することで、高い品質の表示を必要とする高品位表示領域には円偏光板を貼付して高コントラスト表示を実現し、鏡としての機能を優先する鏡機能付加表示領域には円偏光板を貼付しないことで高反射性をもつ有機ＥＬパネルが得られる。
【００３７】
円偏光板の可視光域の透過率は約４２％であるため、円偏光板を貼り付けた高品位表示領域Ｒ１と円偏光板を有しない鏡機能付加表示領域Ｒ２の両方を用いて一つの情報を表示する場合、パネル全体を共通に駆動すると、高品位表示領域Ｒ１と鏡機能付加表示領域Ｒ２の間に輝度差が発生する。その解決手段としては、次に説明するような駆動方法とする。
【００３８】
図５は、本発明による表示装置の駆動方法の１例を説明する図である。図５において、有機ＥＬパネルＰＮＬは円偏光板を貼り付けた高品位表示領域Ｒ１と円偏光板を有しない鏡機能付加表示領域Ｒ２を有する。この有機ＥＬパネルＰＮＬには、その走査信号線を選択するための走査信号を供給する走査線駆動回路ＳＳＤと選択されたデータ信号線に接続する画素に表示データを供給するデータ信号線駆動回路ＤＳＤおよび表示データが供給される画素の有機ＥＬ素子に電流を供給するための電流供給回路ＰＷＳが接続されている。
【００３９】
走査線駆動回路ＳＳＤとデータ信号線駆動回路ＤＳＤは、外部信号源ＨＳＴから供給される表示信号の基づいて有機ＥＬパネルの表示用のデータとタイミング信号等の各種信号を生成する表示制御装置ＣＴＲに接続している。
【００４０】
走査線駆動回路ＳＳＤは高品位表示領域Ｒ１と鏡機能付加表示領域Ｒ２の走査信号線の一方または両方に走査信号を供給する。データ信号線駆動回路ＤＳＤは、高品位表示領域Ｒ１と鏡機能付加表示領域Ｒ２に対して共通に設けられている。高品位表示領域Ｒ１にのみ画像を表示し、鏡機能付加表示領域Ｒ２は鏡としてのみで機能させる場合は、走査線駆動回路ＳＳＤは高品位表示領域Ｒ１の走査線にのみ走査信号を供給する。高品位表示領域Ｒ１と鏡機能付加表示領域Ｒ２の両方に画像を表示する場合は、走査線駆動回路ＳＳＤは両方の表示領域に走査信号を供給する。なお、鏡機能付加表示領域Ｒ２にのみ画像を表示する場合は、走査線駆動回路ＳＳＤは鏡機能付加表示領域Ｒ２にのみ走査信号を供給する。
【００４１】
この構成例では、電流供給回路ＰＷＳを高品位表示領域Ｒ１用の電流供給回路ＰＷＳ１  と鏡機能付加表示領域Ｒ２用の電流供給回路ＰＷＳ２の二つで構成している。電流供給回路ＰＷＳ１と電流供給回路ＰＷＳ２は、高品位表示領域Ｒ１と鏡機能付加表示領域Ｒ２の両方を用いて一つの情報を表示する場合に、両表示領域の発光輝度が同じになるように出力電流量が調整されている。また、この出力電流量が調整は使用者が任意に調整できるように構成することも可能である。
【００４２】
これにより、円偏光板を貼り付けた高品位表示領域Ｒ１と円偏光板を有しない鏡機能付加表示領域Ｒ２の両方を用いて一つの情報を表示する場合の両表示領域での輝度差が低減ないしは解消される。
【００４３】
図６は、本発明による表示装置の駆動方法の他例を説明する図である。図６示した構成では、電流供給回路ＰＷＳは高品位表示領域Ｒ１と鏡機能付加表示領域Ｒ２とに共通に設けられており、走査線駆動回路ＳＳＤは図５と同様の構成となっている。そして、図６では、高品位表示領域Ｒ１と鏡機能付加表示領域Ｒ２とに対し、それぞれ独立にデータ信号を供給するデータ信号線駆動回路ＤＳＤ１とデータ信号線駆動回路ＤＳＤ２を設けている。その他の構成は図５と同様である。
【００４４】
図６の構成において、データ信号線駆動回路ＤＳＤ１は円偏光板の低透過率による鏡機能付加表示領域Ｒ２との輝度差を補償するように高品位表示領域Ｒ１の画素に供給するデータ信号の表示用電流量が増加するように調整する。これにより、円偏光板を貼り付けた高品位表示領域Ｒ１と円偏光板を有しない鏡機能付加表示領域Ｒ２の両方を用いて一つの情報を表示する場合の両表示領域での輝度差が低減ないしは解消される。
【００４５】
図７は、有機ＥＬパネルへの円偏光板の貼付形態の一例を説明する図であり、図７（ａ）は正面図、図７（ｂ）は側面図である。この例では、有機ＥＬパネルＰＮＬの全面に円偏光板ＰＯＬを弱粘着剤で貼付してある。円偏光板ＰＯＬは、線ＣＴＬで予め切断され、または容易に分離する程度にミシン目が入れられている。また、円偏光板ＰＯＬは、その一部の端部が有機ＥＬパネルＰＮＬの端縁から少しはみ出して貼付することで、剥離を容易にしてある。
【００４６】
この円偏光板ＰＯＬを有機ＥＬパネルＰＮＬの全面に貼付した状態では有機ＥＬパネルＰＮＬの全面で高品位表示領域として使用でき、円偏光板ＰＯＬを全部剥がした状態では有機ＥＬパネルＰＮＬの全面を鏡機能付加表示領域として使用できる。そして、線ＣＴＬで円偏光板ＰＯＬを分離し、その一方（Ａ部分またはＢ部分）を有機ＥＬパネルＰＮＬに残すことで、円偏光板ＰＯＬが残された領域が高品位表示領域となり、偏光板ＰＯＬが剥離された領域が鏡機能付加表示領域となる。
【００４７】
図８は、図１と同様の表示装置を車両のバックミラーに適用した場合の表示の具体例を説明する図であり、図８（ａ）は正面図、図８（ｂ）は側面図である。円偏光板ＰＯＬを貼付した高品位表示領域Ｒ１には、図示しない道路交通情報受信手段で受信した重要な交通情報を表示する。円偏光板ＰＯＬを有しない鏡機能付加表示領域Ｒ２は通常のバックミラーとして使用されると共に、必要に応じて任意の情報を表示することができる。
【００４８】
図９は、本発明による表示装置の高品位表示領域と鏡機能付加表示領域の他の構成例を説明する図である。そして、図９（ａ）は正面図、図９（ｂ）は側面図、図９（ｃ）は下側面図である。この構成例では、鏡機能付加表示領域Ｒ２を枠状に囲んで高品位表示領域Ｒ１が形成されている。各表示領域の機能は図８と同様である。
【００４９】
図１０は、本発明による表示装置の高品位表示領域と鏡機能付加表示領域のさらに他の構成例を説明する図である。そして、図１０（ａ）は正面図、図１０（ｂ）は側面図、図１０（ｃ）は下側面図である。この構成例では、鏡機能付加表示領域Ｒ２の両側にそれぞれ高品位表示領域Ｒ１が形成されている。各表示領域の機能は図８や図９と同様であるが、この例では、車両のバックミラーに適用した場合に、図示しないカメラで撮影した左右後方の死角部分の画像を鏡機能付加表示領域Ｒ２の両側にある高品位表示領域Ｒ１のそれぞれに表示するような使い方ができる。なお、このとき、鏡機能付加表示領域Ｒ２に後方中央の画像を表示するように構成することも可能である。
【００５０】
図１１は、本発明の典型的な適用例の説明図であり、本発明の表示装置を車両のバックミラーに用い、さらに車両の後部に取り付けたカメラの画像をバックミラーとしての表示装置をバックモニタとして用いて表示させるようにしたシステム例である。また、図１２は、図１１におけるバックミラーとしての表示装置の正面図である。このシステムに用いるバックミラーとしての表示装置は図７に示したものと類似しているが、有機ＥＬパネルＰＮＬに貼り付けた円偏光板ＰＯＬは分割されていない。
【００５１】
図１１において、車両ＶＨＬの運転席に設置したバックミラーＢ／Ｍは制御装置CONを介して車両の後部に取り付けたCCDカメラCAMに接続されている。バックミラーＢ／Ｍは、その有機ELパネルPNLの表示面の全域に円偏光板POLが貼付されている。
【００５２】
通常はCCDカメラCAMの撮影画像をバックミラーＢ／Ｍに表示することで後方の死角部分のシーン（様子）を確認することができる。また、バックミラーＢ／Ｍの動きをCCDカメラCAMの視野に連動させることで所望の方向のシーンを確認できる。また、このシステムが正常に機能しなくなったときは円偏光板を剥離して、反射鏡としたバックミラーにすることもできる。
【図面の簡単な説明】
【００５３】
【図１】本発明による表示装置の実施例１を示す有機ＥＬパネルの説明図である。
【図２】図１における高品位表示領域の１画素付近の構造例を説明する模式断面図である。
【図３】図１における鏡機能付加表示領域の１画素付近の構造を説明する模式断面図である。
【図４】本発明による表示装置の実施例２を説明する図１における鏡機能付加表示領域の１画素付近の構造を説明する模式断面図である。
【図５】本発明による表示装置の駆動方法の１例を説明する図である。
【図６】本発明による表示装置の駆動方法の他例を説明する図である。
【図７】有機ＥＬパネルへの円偏光板の貼付形態の一例を説明する図である。
【図８】図１と同様の表示装置を車両のバックミラーに適用した場合の表示の具体例を説明する図である。
【図９】本発明による表示装置の高品位表示領域と鏡機能付加表示領域の他の構成例を説明する図である。
【図１０】本発明による表示装置の高品位表示領域と鏡機能付加表示領域のさらに他の構成例を説明する図である。
【図１１】本発明の典型的な適用例の説明図であり、本発明の表示装置を車両のバックミラーに用い、さらに車両の後部に取り付けたカメラの画像をバックミラーとしての表示装置をバックモニタとして用いて表示させるようにしたシステム例である
【図１２】図１１におけるバックミラーとしての表示装置の正面図である。
【符号の説明】
【００５４】
ＰＮＬ・・・有機ＥＬパネル、ＰＯＬ・・・円偏光板、ＳＵＢ１・・・ガラス基板（主基板）、ＳＵＢ２・・・ガラス基板（封止缶）、Ｒ１・・・高品位表示領域、Ｒ２・・・鏡機能付加表示領域。
【図１】
2006011043.tif 000003
【図２】
2006011043.tif 000004
【図３】
2006011043.tif 000005
【図４】
2006011043.tif 000006
【図５】
2006011043.tif 000007
【図６】
2006011043.tif 000008
【図７】
2006011043.tif 000009
【図８】
2006011043.tif 000010
【図９】
2006011043.tif 000011
【図１０】
2006011043.tif 000012
【図１１】
2006011043.tif 000013
【図１２】
2006011043.tif 000014